(57)【要約】      （修正有）【課題】病院、他の医療施設および在宅ケア環境で使用されるタイプのベッド、特に平行移動可能で配向調整可能なデッキセクションならびに使用者の非特異的な平行移動およびデッキの回転から生じる人体測定性能障害を補う、容積調整可能な要素を備える関節接合可能なベッドを提供する。【解決手段】ベッドは、横方向に延び、長軸方向に移動可能な軸５８の周りに配向調整可能な少なくとも一つのセクションを持つデッキ４２と、配向調整可能なデッキセクション４４に関連する少なくとも一つの容積調整可能な要素を含むマットレス組立品を備える。容積調整可能な要素は、デッキセクション４４に隣接するマットレス組立品の一部の厚さを、セクションの配向に平行でない方向に、デッキセクション４４の配向の変化に応じて、変えるように適合される。【選択図】図１
2013184059.tif 000002
【特許請求の範囲】
【請求項１】
ベッドであって、
デッキセクションの配向の変化に応じて所定の距離だけ移動する、横方向に延び、長軸方向に移動可能な軸の周りに配向調整可能な少なくとも一つのセクションを持つデッキと、
前記配向調整可能なデッキセクションと関連する少なくとも一つの容積調整可能な要素を含むマットレス組立品とを備え、前記要素が、前記デッキセクションに隣接する前記マットレス組立品の一部の厚さを、前記セクションの前記配向に平行でない方向に、前記デッキセクションの配向の前記変化に応じて変えるように構成されるベッド。
【請求項２】
前記デッキセクションの配向の変化に応じて厚さの前記変化を制御するための制御装置を備える、請求項１のベッド。
【請求項３】
前記容積調整可能な要素は少なくとも一つの膨張可能な袋である、請求項１のベッド。
【請求項４】
前記膨張可能な袋を加圧するための送風機を含む、請求項３のベッド。
【請求項５】
それぞれが前記マットレス組立品の前記厚さの最大到達可能な変化の一部のみをもたらすことができる膨張可能な複数の袋を備える、請求項３のベッド。
【請求項６】
前記マットレス組立品は、前記容積調整可能な要素と前記配向調整可能なデッキセクションとの間に実質的に一定の厚さのベースを含む、請求項１のベッド。
【請求項７】
前記マットレス組立品は、前記袋と前記配向調整可能なデッキセクションとの間に実質的に一定の厚さのベースを含む、請求項５のベッド。
【請求項８】
前記軸は、デッキセクション配向の正の変化に合わせて頭側に移動し、前記調整可能な要素は、前記マットレス組立品の前記部分の前記厚さを、最大ベッド使用者に対しては基準量だけ、最大より小さい使用者に対してはより大きな量だけ変化させる、請求項１のベッド。
【請求項９】
前記基準量は、前記デッキセクションの最大の正配向において０である、請求項８のベッド。
【請求項１０】
前記軸は、デッキセクション配向の正の変化に合わせて頭側に所定の距離だけ移動し、前記調整可能要素は、前記マットレス組立品の前記部分の前記厚さを、最大使用者よりも小さく最小使用者よりは大きな設計点使用者に対しては基準量だけ、前記設計点使用者より小さな使用者に対してはより大きな量だけ変化させる、請求項１のベッド。
【請求項１１】
前記調整可能要素は、前記マットレス組立品の前記部分の前記厚さを、前記設計点使用者よりも大きい使用者に対して前記基準量より少ない量だけ変化させる、請求項１０のベッド。
【請求項１２】
前記設計点使用者は集団の５０パーセンタイルのメンバーである、請求項１０のベッド。
【請求項１３】
前記容積調整可能要素は、一式のＮ個の膨張可能な袋であり、前記ベッドは、前記デッキセクションの配向の変化に応じてマットレス組立品の厚さの前記変化をもたらすように前記袋の膨張を制御するための制御装置を含み、前記制御装置は、下に規定された膨張スケジュールに指定されるように、使用者の特徴およびデッキセクションの配向の関数として前記袋の膨張を命令するように構成され、膨張した袋の数量は、最大配向と最小配向との間のデッキ配向に対して、および最大使用者と最小使用者の特徴とに対して直線的に補間される、請求項１のベッド。
2013184059.tif 000007
【請求項１４】
前記膨張スケジュールが袋の非整数の数量を膨張させることを要求する場合、前記制御装置は、非整数数量の前記整数部分に等しい袋の数量の完全膨張を命令し、追加の袋の部分的な膨張を命令する、請求項１３のベッド。
【請求項１５】
前記追加の袋は、完全膨張圧力に非整数数量の分数部分を掛けたものにほぼ等しい圧力まで膨張される、請求項１４のベッド。
【請求項１６】
前記容積調整可能要素は、一式のＰ個の膨張可能な袋であり、前記ベッドは、前記デッキセクションの配向の変化に応じてマットレス組立品の厚さの前記変化をもたらすように前記袋の膨張を制御するための制御装置を含み、前記制御装置は、下に規定された膨張スケジュールに指定されたように使用者の特徴およびデッキセクションの配向の関数として前記袋の膨張を命令するように構成され、膨張した袋の数量は、最大配向と最小配向との間のデッキ配向に対して、および設計点使用者の前記特徴と前記設計点使用者より小さいか大きい使用者の前記特徴との間の使用者の特徴に対して直線的に補間される、請求項１のベッド。
2013184059.tif 000008
【請求項１７】
前記膨張スケジュールが袋の非整数の数量を膨張させることを要求する場合、前記制御装置は、非整数数量の前記整数部分に等しい袋の数量の完全膨張を命令し、追加の袋の部分的な膨張を命令する、請求項１６のベッド。
【請求項１８】
前記追加の袋は、完全膨張圧力に非整数数量の分数部分を掛けたものにほぼ等しい圧力まで膨張される、請求項１７のベッド。
【請求項１９】
前記容積調整可能要素は一式のＮ個の膨張可能な袋であり、前記ベッドは、前記デッキセクションの配向の変化に応じてマットレス組立品の厚さの前記変化をもたらすように前記袋の膨張を制御するための制御装置を含み、前記制御装置は、下に規定された膨張スケジュールに指定されたように使用者の特徴およびデッキセクションの配向の関数として前記袋の膨張を命令するように構成され、膨張した袋の数量は前記の最大配向と最小配向との間のデッキ配向に対して直線的に補間される、請求項１のベッド。
2013184059.tif 000009
【請求項２０】
前記膨張スケジュールが袋の非整数の数量を膨張させることを要求する場合、前記制御装置は、非整数数量の前記整数部分に等しい袋の数量の完全膨張を命令し、追加の袋の部分的な膨張を命令する、請求項１９のベッド。
【請求項２１】
前記追加の袋は、完全膨張圧力に非整数数量の分数部分を掛けたものにほぼ等しい圧力まで膨張される、請求項２０のベッド。
【請求項２２】
前記容積調整可能要素は、一式のｎ個の膨張可能な袋であり、前記ベッドは、前記デッキセクションの配向の変化に応じてマットレス組立品の厚さの前記変化をもたらすように前記袋の膨張を制御するための制御装置を含み、前記制御装置は、下に規定された膨張スケジュールに指定されたように使用者の特徴およびデッキセクションの配向の関数として前記袋の膨張を命令するように構成され、膨張した袋の数量は前記の最大配向と最小配向との間のデッキ配向に対して直線的に補間される、請求項１のベッド。
2013184059.tif 000010
【発明の詳細な説明】
【技術分野】
【０００１】
本明細書に記述された主題は、病院、他の医療施設および在宅ケア環境で使用されるタイプのベッド、特に平行移動可能で配向調整可能なデッキセクションならびに使用者の非特異的な平行移動およびデッキの回転から生じる人体測定性能障害を補う、容積調整可能な要素を備える関節接合可能なベッドに関する。
【背景技術】
【０００２】
「人体測定学的に統制される使用者保持器」と題する２００９年１１月１３日出願の米国特許出願１２／６１８，２５６号は、関節接合が人体測定学に少なくとも部分的に依存する、関節接合可能なベッドを記述している。記述されたベッドは、（ベッドの頭側端部に向かって）正の方向または頭部の方向、および（ベッドの足側端部に向かって）負の方向または足の方向に、長軸方向に移動可能な上半身セクションを含む。デッキセクションがベッドの上部フレームに対してある角度配向αに配置されるように、上半身フレームおよびデッキセクションは、横方向に延びる回転軸の周りに旋回可能である。上半身フレームおよびデッキセクションをベッド上部フレームとは反対方向に旋回する回転は正の回転であるのに対して、上半身フレームおよびデッキセクションを上部ベッドフレームに向かって旋回する回転は負の回転である。上半身デッキは、上半身デッキフレームの現在の配向に平行な方向に、上半身デッキフレームに対してもスライド可能である。上半身セクションの長軸方向の移動と区別するために、この動きは「平行移動」と呼ばれる。正の平行移動は頭部または上半身フレームの上端に向かった移動であるのに対し、負の平行移動は足または上半身フレームの下端に向かった移動である。本出願では、正と負の移動、回転および平行移動に対する上述の慣例を守るものとする。
【０００３】
本出願で記述されたベッドの一実施形態は、上半身セクションを長軸方向に移動し、その角度配向を変化させるための簡易化運動学的構成を特徴とする。本出願は、簡易化運動学から生じる人体測定性能面の犠牲を軽減するための、ベッドの脚セクションの「補償移動」も記述している。
【０００４】
本出願は、補償移動の利益を達成するための代替方法を利用するベッドを記述している。
【発明の概要】
【０００５】
本明細書に記述のベッドは、横方向に延び、長軸方向に移動可能な軸の周りに配向調整可能な少なくとも一つのセクションを持つデッキと、配向調整可能なデッキセクションに関連する少なくとも一つの容積調整可能な要素を含むマットレス組立品を備える。容積調整可能な要素は、デッキセクションに隣接するマットレス組立品の一部の厚さを、セクションの配向に平行でない方向に、デッキセクションの配向の変化に応じて、変えるように適合される。
【０００６】
本明細書に記載したベッドの多様な実施形態の前述の機能とその他の機能は、下記の詳細な説明および付属の図面でより明らかとなる。
【図面の簡単な説明】
【０００７】
【図１】病院ベッドの簡易側面図である。
【図２】一式の補償袋、送風機、および袋を膨張させるための配管ネットワーク、ならびに望ましい数量の袋の望ましい膨張を達成するために送風機およびバルブのシステムを作動させるための制御装置を示す概略図である。
【図３】最大使用者に対応するために距離ΔＣＫ分だけ移動可能なデッキ上半身セクションを示し、一式の補償袋を持ち、最大使用者に適応するために袋が収縮状態にあることを示す、図１のベッドの一部の簡易側面図である。
【図４】それぞれが、５０パーセンタイルの使用者、２５パーセンタイルの使用者、および７５パーセンタイルの使用者に適応するために膨張された補償袋のサブセットを示す、図３に類似の図である。
【図５】それぞれが、５０パーセンタイルの使用者、２５パーセンタイルの使用者、および７５パーセンタイルの使用者に適応するために膨張された補償袋のサブセットを示す、図３に類似の図である。
【図６】それぞれが、５０パーセンタイルの使用者、２５パーセンタイルの使用者、および７５パーセンタイルの使用者に適応するために膨張された補償袋のサブセットを示す、図３に類似の図である。
【図７】ベッドの上半身セクションの角度配向と使用者サイズの関数としての補償袋の膨張のスケジュールである。
【図８】長軸方向のデッキ移動ΔＣＫが最大使用者に基づくベッドに対する使用者サイズの関数としての袋の膨張要件を示すグラフである。
【図９】ΔＣＫの値が、１００パーセンタイルの使用者ではなく５０パーセンタイルの使用者に適応するために選択されていることを除いて、図３〜６に類似した側面図である。
【図１０】ΔＣＫの値が、１００パーセンタイルの使用者ではなく５０パーセンタイルの使用者に適応するために選択されていることを除いて、図３〜６に類似した側面図である。
【図１１】ΔＣＫの値が、１００パーセンタイルの使用者ではなく５０パーセンタイルの使用者に適応するために選択されていることを除いて、図３〜６に類似した側面図である。
【図１２】図１２は、長軸方向のデッキ移動が５０パーセンタイルの使用者に基づいているベッドの図８と類似の図である。
【図１３】図１３は、袋の膨張の個別スケジュールである。
【発明を実施するための形態】
【０００８】
図１および２を参照すると、病院ベッド２０は、長軸方向に頭側端部２２から足側端部２４に、および横方向に（図の面に見て）左側から右側に延びる。ベッドは、ベースフレーム３０、および中間フレーム３４を備え、中間フレームはベースフレームに対して高さを昇降できるようにベースフレーム上に取り付けられている。ベッドは、重量測定フレームから中間フレームまでの荷重経路がロードセル４０を通って延長するように、中間フレーム上に取り付けられた重量測定フレーム３６も含む。ロードセルは、ベッドの使用者の体重測定を可能にする。ベッドは、長軸方向の長さＬを持ち使用者の胴体にほぼ対応する上半身セクション４４および下半身セクション４６を備えるセグメント化されたデッキ４２も含む。下半身セクションは、使用者の臀部にほぼ対応するシートセクション４８および脚セクション５２を含み、これは使用者の大腿にほぼ対応する大腿セクション５４および使用者のふくらはぎと足にほぼ対応するふくらはぎセクション５６をさらに備える。上半身セクションの角度配向αは、横方向に延びる軸５８に関して調整可能である。上半身セクションはその軸５８を含めて、方向の矢印Ｄ１で示されるように、長軸方向に移動可能である。大腿およびふくらはぎセクションの角度配向β、θも調整可能である。
【０００９】
ベッドは、配向調整可能な上半身デッキセクション４４に関連した少なくとも一つの容積調整可能要素を含むマットレス組立品も含む。容積調整可能な要素は、デッキセクションに隣接するマットレス組立品の一部の厚さＴを、デッキセクション４４の配向に平行でない方向Ｄ２に、デッキセクションの配向αの変化に応じて、変えるように適合される。方向Ｄ２は、デッキセクションの配向にほぼ垂直である。例示された実施形態では、容積調整可能要素は、複数の膨張可能な袋６４（本明細書では補償袋と呼ばれる）を備え、それぞれがマットレス組立品の厚さＴの最大到達可能変化ΔＴｍａｘの一部のみをもたらすことができる。例示された実施形態は、容積調整可能要素と配向調整可能なデッキセクションの間に、実質的に一定の厚さのベース６６も含む。例示されたベースは、作動圧力まで膨張された袋であり、ベッドの日常使用中は実質的にそれと同じ圧力に維持される。または、ベースは膨張可能でないベース（例えば発泡材料で作られたベース）でもよい。
【００１０】
ベッドは、膨張可能な袋６４を加圧するために空気を供給する送風機７０、およびデッキセクションの配向の変化に応じて厚さの変化を制御する制御装置７２も含む。対象となる袋が完全に膨張しているか、部分的に膨張しているか、または実質的に収縮しているかどうかを評価するために、袋の圧力を感知するように圧力センサー７４を提供することができる。ベッドは、配向角度αを決定するための傾斜計７６も含む。αが０の時、すべての袋は実質的に収縮している。制御装置は、有線接続または示されるように無線接続のいずれかによって遠隔システムと通信できる。遠隔システムの例には、病院通信ネットワーク、ナースコールシステム、ナースコールステーション、およびデジタルまたは電子カルテ（ＥＭＲ）が含まれる。
【００１１】
ベッドを使用しているか使用しようとしている特定の使用者の身体的特徴をユーザーが制御装置に通知できるように、ユーザーインターフェース（図示せず）が提供される。
【００１２】
図３を参照すると、ベッドは、平面配向（α＝０°）にある上半身セクションと長軸方向位置Ａにある軸５８（点線）、および最大傾斜（αが約６５°）にある上半身セクションと長軸方向位置Ｂにある軸５８（実線）で示されている。ＡとＢの間の長軸方向の距離はΔＣＫである。ΔＣＫは、上半身セクションが０°の最小配向から約６５°の最大配向へと軸５８の周りに回転する時、デッキの上半身セクションの移動とデッキの角度配向αの間の運動学的関係から生じる長軸方向の移動である。ΔＣＫの値は設計者によって規定され、図３の実施例では、使用者の集団から選択された「最大」使用者に適応するように選択される。すなわち、最大使用者は運動学の「設計点」使用者である。最大使用者は、身体的特徴（例えば、身長、体格指数）が考慮されている集団の上端にある使用者である。最大使用者は、１００パーセンタイルの使用者として考えることができる。同様に、「最小」使用者は、身体的特徴が考慮されている集団の下端にある使用者である。最小使用者は、０パーセンタイルの使用者として考えることができる。身体的特徴または関心の特徴が最大使用者と最小使用者の間にある他の使用者は、同様に、パーセンタイルランク（例えば、２５パーセンタイル、５０パーセンタイル、７５パーセンタイル）で特定できる。使用者の相対ランキングは、本明細書では、「より小さい」、「未満の」、「より大きい」および「を超える」などの語句で言及される。例えば、５０パーセンタイルの人物は、７５パーセンタイルの人物「よりも小さい」または「未満」であり、２５パーセンタイルの人物「よりも大きい」または「を超える」。
【００１３】
引き続き図３を参照すると、制御装置７２は、０°から６５°へのデッキセクションの配向の変化に応じて、デッキセクション４４に隣接するマットレス組立品の部分の厚さを、最大ベッド使用者に対して基準量分だけ変えるコマンド（命令）を出している。図３の実施例では、制御装置は、ユーザーインターフェースを経由して、使用者が最大使用者であることを指定するユーザー入力を以前に受け取っている。α＝０で収縮された袋６４が収縮したままとなり、それによって最大ベッド使用者に適応するように、制御装置が出した命令はヌル命令であり基準量は０である。
【００１４】
図４は、最大未満の使用者に対する図３のベッドの動作を示す。図４の実施例では、使用者は集団の５０パーセンタイルのメンバーであり、ユーザー入力によって５０パーセンタイルの人物がベッドを使用している、または使用する予定であることが制御装置７２に通知されている。ベッドの運動学は最大使用者に対して設計されているため、０°から６５°への変化αに関連するデッキの上半身セクションの長軸方向の移動は、図３に示されるようにΔＣＫである。しかし、５０パーセンタイルの使用者に対して望ましい上半身セクションの移動はΔＣ５０，ＤＥＳＩＲＥＤだけであるため、５０パーセンタイルの使用者に対してはこの移動は最適ではない。従って、制御装置は、デッキセクション４４に隣接するマットレス組立品の部分の厚さを、５０パーセンタイルの使用者のニーズに適合する量だけ変える命令を出している。より小さな５０パーセンタイルの使用者に適合する厚さの変化は、最大使用者などのより大きな使用者に適応するのに必要な量よりも大きい。図４の実施例では、命令は、４つの補償袋６４のうち２つを完全に膨張させるための命令である。上半身セクションのデッキセクション４４に隣接するマットレス組立品のより大きな厚さの結果的に生じる水平成分Ｈは、ΔＣ５０，ＣＩに等しいか、またはほぼ等しく、ここで下付き文字の「ＣＩ」部分は「補償膨張」を表す。Ｈの大きさはデッキ上半身セクションの過剰移動を補償し、それによって５０パーセンタイルのベッド使用者により良く適応する。
【００１５】
図５は図４と類似しているが、使用者は集団の２５パーセンタイルのメンバーであり、ユーザー入力によって２５パーセンタイルの人物がベッドを使用している、または使用する予定であることが制御装置７２に通知されている、と仮定する。ベッドの運動学は最大使用者に対して設計されているため、０°から６５°への変化αに関連するデッキの上半身セクションの長軸方向の移動は、先の実施例に示されるようにΔＣＫである。しかし、２５パーセンタイルの使用者に対して望ましい上半身セクションの移動はΔＣ２５，ＤＥＳＩＲＥＤだけであるため、２５パーセンタイルの使用者に対してはこの移動は最適ではない。従って、制御装置は、デッキセクション４４に隣接するマットレス組立品の部分の厚さを、２５パーセンタイルの使用者のニーズに適合する量だけ変える命令を出している。図５の実施例では、命令は、４つの補償袋６４のうち３つを完全に膨張させるための命令である。上半身セクションのデッキセクション４４に隣接するマットレス組立品のより大きな厚さの結果的に生じる水平成分Ｈは、ΔＣ２５，ＣＩに等しいか、またはほぼ等しく、ここで下付き文字の「ＣＩ」部分は「補償膨張」を表す。Ｈの大きさはデッキ上半身セクションの過剰移動を補償し、それによって２５パーセンタイルのベッド使用者により良く適応する。
【００１６】
図６は前の図と類似しているが、使用者は集団の７５パーセンタイルのメンバーであり、ユーザー入力によって、７５パーセンタイルの人がベッドを使用している、または使用する予定であることが制御装置７２に通知されている、と仮定する。ベッドの運動学は最大使用者に対して設計されているため、０°から６５°への変化αに関連するデッキの上半身セクションの長軸方向の移動は、先の実施例に示されるようにΔＣＫである。しかし、７５パーセンタイルの使用者に対して望ましい上半身セクションの移動はΔＣ７５，ＤＥＳＩＲＥＤだけであるため、７５パーセンタイルの使用者に対してはこの移動は最適ではない。従って、制御装置は、デッキセクション４４に隣接するマットレス組立品の部分の厚さを、７５パーセンタイルの使用者のニーズに適合する量だけ変える命令を出している。図６の実施例では、命令は４つの補償袋６４のうち一つを完全に膨張させるための命令である。上半身セクションのデッキセクション４４に隣接するマットレス組立品のより大きな厚さの結果的に生じる水平成分Ｈは、ΔＣ７５，ＣＩに等しいか、またはほぼ等しく、ここで下付き文字の「ＣＩ」部分は「補償膨張」を表す。Ｈの大きさはデッキ上半身セクションの過剰移動を補償し、それによって７５パーセンタイルのベッド使用者により良く適応する。
【００１７】
図４〜６の実施例は０以外の厚さの増加を示すため、これらの実施例ではマットレスの厚さの変化の配向依存を示すことが可能となる。図４〜６の実施例は、デッキの上半身セクションが最小配向角度の０°から最大配向角度の６５°に再配向されていると仮定する。しかし、もしデッキが０°から６５°未満の角度に再配向されていた場合、命令された厚さの変化はより少なくなったはずである。図７は、使用者の一連の特徴（最小、２５パーセンタイル、５０パーセンタイル、７５パーセンタイルおよび最大）に対する、膨張した袋の数量と配向角度αの間の直線関係を示す。αと使用者の特徴の両方に関して関係は直線的であるが、非直線関係は本開示の範囲内である。
【００１８】
図８は、図３〜６の実施例を要約したグラフであり、制御装置７２によって利用可能な制御スケジュールも示す。グラフは、最大使用者に基づいて、上半身セクションの最大αでの移動がΔＣＫであるベッドに対するものである。水平軸は、パーセンタイルとして表された使用者の特徴を示す。垂直軸は２つのスケールを示す。「必要な厚さ」と表示されている一つのスケールは、問題の袋が完全に膨張しているためその最大容積および既知の最大の厚さにあると仮定して、最大αで使用者が必要とする袋の厚さの数量を示す。「膨張した袋」と表示されたもう一方のスケールは、最大αで必要な袋の厚さ（従って、最大αで必要なマットレスの厚さ）を達成するために膨張される袋の数量を示す。最大角度より小さな配向角度に適応するために、前述のような補間を使用することができる。グラフには、デッキ上半身セクションの移動ΔＣＫの「袋相当」を示す水平線がある。最大使用者に基づくΔＣＫは、補償袋の効果を一切提供しないため、水平線は０の位置である。「必要な厚さ」のスケールに対する傾斜線の読取値は、当該の使用者が必要とする袋の数量を示す。「膨張した袋」スケールに対する傾斜線の読取値は、当該の使用者に適応するために膨張されるべき袋の数量を示す。上半身セクションの移動（ΔＣＫ）は膨張しているゼロの袋に等しいため、各スケール上の値は１０に等しい。従って、必要な厚さのすべては補償袋自体によって提供されなければならない。
【００１９】
引き続き図８を参照すると、使用者が非整数の数量の袋の膨張を必要とする場合、制御装置は、非整数数量の整数部分に等しい数量の袋を完全に膨張させるよう命令し、一つの追加的な袋を部分的に膨張させるよう命令する。この追加の袋は、完全膨張圧力に非整数数量の分数部分を掛けたものにほぼ等しい圧力まで膨張される。例えば、７０パーセンタイルの使用者では、制御装置は、袋６４Ａ（図２）を完全膨張させ、袋６４Ｂを最大膨張圧力の２０％に対応する圧力まで膨張させることを命じる。
【００２０】
一般的に、容積調整可能要素が一式のN個の膨張可能な袋であり、ΔCKが（図8にあるように）最大使用者に基づく場合、制御装置は、以下に規定される膨張スケジュールに指定されるように使用者の特徴およびデッキセクションの配向に応じて袋の膨張を命令する。すでに述べたように、最大配向と最小配向の間のデッキ配向、および最大使用者と最小使用者の特徴の間の使用者の特徴に対する直線または非直線の補間アルゴリズムに従って、袋は部分的に膨張されうる。
【００２１】
2013184059.tif 000003
【００２２】
図９は図３〜６のものと類似した側面図であるが、設計者が「設計点」使用者として５０パーセンタイルの使用者を選択したベッドを示している。結果として、設計者によって規定されたΔＣＫの値は、１００パーセンタイルの使用者ではなく５０パーセンタイルの使用者に適応するように選択されている。これにより、図３〜６と比較して複数の差異が生じる。第一に、マットレスベース６６は、図３〜６のマットレスベースの半分だけの厚さである。第二に、デッキセクション４４が平面配向にある時、使用者の特徴にかかわらず、４つの袋６４のうち２つが膨張される。第三に、ΔＣＫは、軸５８の機械的移動ΔＣＭＥＣＨおよび反対方向に向くオフセットΔＣＡＢの最終結果であり、ここでＡＢの下付き文字は、オフセットが袋６４Ａおよび６４Ｂの膨張状態に起因することを示す。Ｈ１は、袋６４Ａ、６４Ｂの膨張状態に起因するマットレスの厚さの水平成分である。図９の実施例では、制御装置７２は、０°から６５°へのデッキセクションの配向の変化に応じて、設計使用者に等しい使用者に対して基準量だけ厚さを変化させるように命令する。図９の実施例では、制御装置は使用者が５０パーセンタイルの使用者であることを指定するユーザー入力を以前に受け取っている。α＝０で収縮された２つの袋６４Ｃ、６４Ｄが収縮したままの状態となり、α＝０で完全に膨張された２つの袋６４Ａ、６４Ｂが完全に膨張したままの状態となり、それによって５０パーセンタイルのベッド使用者に適応するように、制御装置が出した命令はヌル命令であり基準量は０である。
【００２３】
図１０は、設計使用者よりも小さい使用者に対する図９のベッドの動作を示す。図１０の特定の実施例は、使用者が集団の２５パーセンタイルのメンバーであり、ユーザー入力によって、２５パーセンタイルの人物がベッドを使用している、または使用する予定であることが制御装置７２に通知されている、と仮定する。ΔＣＫ（ΔＣＭＥＣＨとオフセットΔＣＡＢの最終結果）は、５０パーセンタイルの使用者のニーズと一致する。しかし、これは、ΔＣ２５，ＤＥＳＩＲＥＤだけを必要とする２５パーセンタイルの使用者に対しては最適ではない。従って、制御装置は、デッキセクション４４に隣接するマットレス組立品の部分の厚さを、２５パーセンタイルの使用者のニーズに適合する量だけ変える命令を出している。図１０の実施例では、命令は、４つの補償袋６４のうちの３つの完全膨張、すなわち袋６４Ａと６４Ｂの膨張を維持し、追加の袋６４Ｃを膨張するための命令である。上半身セクションのデッキセクション４４に隣接するマットレス組立品の厚さの水平成分Ｈは、ΔＣ２５，ＣＩであり、ここで下付き文字の「ＣＩ」部分は「補償膨張」を意味する。ΔＣ２５，ＣＩの大きさは、ΔＣＡＢ（５０パーセンタイルの設計点使用者に適合するオフセット）によるΔＣＭＥＣＨオフセットが２５パーセンタイルの使用者に対するオフセットには不十分である、という事実を補償する。
【００２４】
図１１は、５０パーセンタイルの設計使用者よりも大きい使用者に対する図９のベッドの動作を示す。図１０の特定の実施例は、使用者が集団の７５パーセンタイルのメンバーであり、ユーザー入力によって、７５パーセンタイルの人物がベッドを使用している、または使用する予定であることが制御装置７２に通知されている、と仮定する。ΔＣＫ（ΔＣＭＥＣＨとオフセットΔＣＡＢの最終結果）は、５０パーセンタイルの使用者のニーズと一致する。しかし、これは、ΔＣ７５，ＤＥＳＩＲＥＤを必要とする７５パーセンタイルの使用者に対しては最適ではない。従って、制御装置は、デッキセクション４４に隣接するマットレス組立品の部分の厚さを、７５パーセンタイルの使用者のニーズに適合する量だけ変える命令を出している。図１１の実施例では、命令は、４つの補償袋６４のうちの一つだけの完全膨張、すなわち、袋６４Ａの膨張を維持し、通常、５０パーセンタイルの使用者に対してすべてのデッキ配向で膨張される他の袋（６４Ｂ）を収縮する命令である。上半身セクションのデッキセクション４４に隣接するマットレス組立品の厚さの結果的に生じる水平成分Ｈの減少は、ΔＣ７５，ＣＩであり、ここで下付き文字の「ＣＩ」部分は「補償膨張」を表し、これはこの実施例では偶然に収縮している。ΔＣ７５，ＣＩの大きさは、ΔＣＰＮＥＵＭＡＴＩＣ（５０パーセンタイルの設計点使用者に適合するオフセット）によるΔＣＭＥＣＨオフセットが７５パーセンタイルの使用者に対するオフセットには過剰である、という事実を補償する。
【００２５】
図１２は図９〜１１の実施例を要約したグラフであり、制御装置７２によって利用可能な制御スケジュールも示す。グラフは、５０パーセンタイル設計点の使用者に基づいて、上半身セクションの最大αでの移動がΔＣＫであるベッドに対するものである。水平軸は、パーセンタイルとして表された使用者の特徴を示す。垂直軸は２つのスケールを示す。「必要な厚さ」と表示されている一つのスケールは、問題の袋は完全に膨張しているためその最大容積および既知の最大の厚さにあると仮定して、最大αで使用者が必要とする袋の厚さの数量を示す。「膨張した袋」と表示されたもう一方のスケールは、最大αで必要な袋の厚さ（従って、最大αで必要なマットレスの厚さ）を達成するために、（５０パーセンタイル設計点の使用者に対して膨張される数と比較して）膨張される袋の数量を示す。最大角度より小さな配向角度に適応するために、前述のような補間を使用することができる。グラフは、袋６４Ａ、６４Ｂの膨張に起因するオフセットを示す水平線を持つ。「必要な厚さ」のスケールに対する傾斜線の読取値は、当該の使用者が必要とする袋の数量を示す。「膨張した袋」のスケールに対する傾斜線の読取値は、当該の使用者に適応するために設計点の使用者に対して膨張させる袋の数量と比較して、膨張（正の数値）または収縮（負の数値）されるべき袋の数量を示す。
【００２６】
一般的に、容積調整可能要素が一式のＰ個の膨張可能な袋の場合、ΔＣＫが最大使用者よりも小さく最小使用者よりも大きな設計使用者に基づいており、５０パーセンタイルの使用者に対して膨張する必要のある袋の数量がＰである場合、制御装置は、下記に規定された膨張スケジュールに指定されるように、使用者の特徴とデッキセクションの配向に応じて袋の膨張を命令する。
【００２７】
2013184059.tif 000004
【００２８】
図１３は、例えば図８の連続的膨張スキームの代替法である、個別または段階的膨張スキームを示すグラフである。グラフは制御装置７２によって利用可能な制御スケジュールも示す。スケジュールは、最大使用者に基づいて、上半身セクションの最大αでの移動がΔＣＫであるベッドに対するものである。水平軸は、パーセンタイルとして表された使用者の特徴を示す。膨張した袋の数量は、最大と最小の配向の間のデッキ配向に対して直線的または非直線的に補間されうるが、例示された制御スケジュールは袋の部分的な膨張を提供しない（すなわち、使用者の特徴軸に沿った補間）。その代わりに、下記に規定されるように各袋は完全に膨張するか、または実質的に収縮する。
【００２９】
2013184059.tif 000005
【００３０】
より一般的には、ｎ個の袋が使用される場合、袋の膨張は以下のスケジュールに従って使用者サイズのｎ＋１個の範囲内に容易に割り当てることができるが、これはその範囲が等しい大きさで、より低いパーセンタイル範囲の数がより大きな使用者に対応すると仮定する。
【００３１】
2013184059.tif 000006
【００３２】
この開示では具体的な実施形態を記載しているが、当業者であれば、付随の請求項で規定される主題から逸脱することなく、形態や詳細に対してさまざまな変更を行うことができることが理解されるであろう。
【図１】
2013184059.tif 000011
【図２】
2013184059.tif 000012
【図３】
2013184059.tif 000013
【図４】
2013184059.tif 000014
【図５】
2013184059.tif 000015
【図６】
2013184059.tif 000016
【図７】
2013184059.tif 000017
【図８】
2013184059.tif 000018
【図９】
2013184059.tif 000019
【図１０】
2013184059.tif 000020
【図１１】
2013184059.tif 000021
【図１２】
2013184059.tif 000022
【図１３】
2013184059.tif 000023
【外国語明細書】
2013184059.tif 000024
2013184059.tif 000025
2013184059.tif 000026
2013184059.tif 000027
2013184059.tif 000028
2013184059.tif 000029
2013184059.tif 000030
2013184059.tif 000031
2013184059.tif 000032
2013184059.tif 000033
2013184059.tif 000034
2013184059.tif 000035
2013184059.tif 000036
2013184059.tif 000037
2013184059.tif 000038
2013184059.tif 000039
2013184059.tif 000040
2013184059.tif 000041
2013184059.tif 000042
2013184059.tif 000043
2013184059.tif 000044
2013184059.tif 000045
2013184059.tif 000046
2013184059.tif 000047
2013184059.tif 000048
2013184059.tif 000049
2013184059.tif 000050
2013184059.tif 000051
2013184059.tif 000052
2013184059.tif 000053
2013184059.tif 000054
2013184059.tif 000055
2013184059.tif 000056
2013184059.tif 000057
2013184059.tif 000058
2013184059.tif 000059
2013184059.tif 000060
2013184059.tif 000061
2013184059.tif 000062